(57)【要約】  バッテリ充電回路（１１）を収納するハウジング（１５）と、電源コンセントに接続可能なインタフェース（１２）と、充電電流出力インタフェースとを具備するバッテリ充電器（１０）。ハウジングの壁（７５）に開口部（７１）が形成され、ハウジング内部の圧力がハウジングの外部に対して圧力限界を超えた場合、開放してハウジングの内部からハウジングの外部へガスを排出するように機能する圧力放出弁（９０）が前記開口部に配置される。一実施形態においては、バッテリ充電回路（１１）と充電電流出力インタフェースとを互いに接続するケーブル（８０）のブッシング（bushing)（９０）が弁として作用する。
2008543259.tif 000002
【特許請求の範囲】
【請求項１】
バッテリ充電回路（１１）を収納するハウジング（１５）と、電源コンセントに接続可能なインタフェース（１２）と、充電電流出力インタフェースとを具備するバッテリ充電器（１０）であって、
開口部（７１）が、前記ハウジングの壁（７５）に形成され、
前記ハウジング内部の圧力が前記ハウジングの外部に対して圧力限界を超えた場合、開放して前記ハウジングの内部から前記ハウジングの外部へガスを排出するように機能する圧力放出弁（９０）が、前記開口部に配置されることを特徴とするバッテリ充電器。
【請求項２】
前記ハウジングの内側からガスが排出された後、前記充電器が閉鎖されるように、前記圧力放出弁（９０）は閉鎖状態になることを特徴とする請求項１記載のバッテリ充電器。
【請求項３】
前記弁は前記開口部に差込まれる弾性部材（９０）を具備し、前記弾性部材は、前記ハウジングの壁の外面に当接し且つ前記ハウジング内部の圧力が前記圧力限界を超えた場合に押しつぶされるリップ（９３）を有することを特徴とする請求項１又は２記載のバッテリ充電器。
【請求項４】
前記リップの内面は前記ハウジングの内部と連通接続状態にあることを特徴とする請求項３記載のバッテリ充電器。
【請求項５】
前記弾性部材は、前記ハウジングの壁の内面に当接する内側フランジ（９１）を有することを特徴とする請求項３記載のバッテリ充電器。
【請求項６】
前記弾性部材の一部分には内側フランジがなく、それにより、前記ハウジングの内部から前記リップへの連通接続が可能になることを特徴とする請求項５記載のバッテリ充電器。
【請求項７】
前記弾性部材は、前記開口部（７１）の外側で前記ハウジング壁に当接するような形状に形成された外側段差部分（９２）を前記リップの内部に具備し、前記開口部（７１）はほぼ円形である一方、前記開口部（７１）にガスを流通させるために、前記内側フランジ（９１）の直径（ｄｉ）を越えて（Ｄｉ）延出する前記ハウジングの内部への切込み（７３）を有することを特徴とする請求項５記載のバッテリ充電器。
【請求項８】
前記切込み（７３）の外側の前記ハウジング壁の外面に凹部（７４）が形成され、前記凹部は、前記外側フランジ（９３）の内側に圧力チャンバを形成することを特徴とする請求項７記載のバッテリ充電器。
【請求項９】
前記リップは、前記ハウジング壁の外面に形成された凹部（７５）に当接することを特徴とする請求項３記載のバッテリ充電器。
【請求項１０】
前記圧力放出弁は、前記バッテリ充電回路に接続されたケーブル（８０）に対してブッシング（bushing）（９０）としても機能することを特徴とする請求項１乃至９のいずれか１項に記載のバッテリ充電器。
【請求項１１】
前記ケーブルは、前記ハウジング側ではない自由端部に配置されたＤＣ充電電流出力コネクタを有することを特徴とする請求項１０記載のバッテリ充電器。
【請求項１２】
前記ケーブルは、前記ハウジング側ではない自由端部に配置されたＡＣ充電電流入力コネクタを有することを特徴とする請求項１０記載のバッテリ充電器。
【請求項１３】
前記充電電流出力インタフェースは、携帯電話のバッテリ充電器入力ポートに接続可能であるような形状に形成されたコネクタを具備することを特徴とする請求項１乃至１２のいずれか１項に記載のバッテリ充電器。
【請求項１４】
前記ハウジングは、継目（７６）で結合される少なくとも２つのハウジング部分（７０ａ、７０ｂ）を具備し、前記開口部（７１）は前記継目を貫通することを特徴とする請求項１乃至１３のいずれか１項に記載のバッテリ充電器。
【発明の詳細な説明】
【技術分野】
【０００１】
本発明は、バッテリ充電器の分野に関し、特に、電源コンセントとバッテリ又はバッテリを搭載した電子装置との間に接続可能であり、それにより、電源コンセントからＡＣ電流を受取り、ＡＣ電流をＤＣ電流に変換し、ＤＣ電流をバッテリに供給して、バッテリを充電するよう機能する充電器に関する。特に、本発明は、気密充電器のハウジングの内側のガス圧力を解放するための解決策に関する。
【背景技術】
【０００２】
電子装置は、機能するために何らかの形態の電源を必要とする。多くの電子装置、特にポータブル装置の場合、電源コンセントにコードを接続するより、バッテリのほうが好ましい。充電が切れた場合、新たなバッテリセットに交換することは可能であるが、多くの場合、再充電可能なバッテリを利用するのが一般的な慣例である。そのようなバッテリは、電源コンセントに接続されたバッテリ充電器を使用して再充電される。
【０００３】
従って、バッテリ充電器は、通常、電源コンセントに接続可能なプラグを含むインタフェースと、プラグが突出する保護ハウジングの中に配置されたＡＣ／ＤＣ変換器回路と、ハウジングの外側にコネクタを具備するバッテリインタフェースとを含む。ＡＣ／ＤＣ変換器手段にＡＣ電流を供給するために、プラグはハウジング内部のＡＣ／ＤＣ変換器手段に接続され、ＡＣ／ＤＣ変換器手段は、接続されたバッテリにＤＣ充電電流を供給するためにバッテリコネクタに接続される。ＡＣ／ＤＣ変換器回路はある程度進歩しており、例えば、ある種類のバッテリに適合する所定の充電方式を実現するための制御装置を含んでもよい。しかし、多くの場合、実際の充電制御回路網は変換器回路に含まれるのではなく、バッテリコネクタが接続される携帯電話などのバッテリを搭載する側の装置に含まれる。そのような構成においては、バッテリ充電器はかなり単純な装置である。バッテリインタフェースは、バッテリ又はバッテリ搭載装置を直接装着するためのプラグ又はソケットを具備するバッテリコネクタを含むか、あるいはそのようなプラグ又はソケットを先端の自由端部に有するコードを含んでいる。
【０００４】
多くの電子装置の場合、装置が購入される時点でバッテリ充電器が提供されるが、バッテリ充電器は別個に提供されてもよい。更に、地域又は国の違いに関わらず、差異が殆ど又は全くない数多くの種類の電子装置及び充電器が世界市場向けに生産されている。従って、バッテリ充電器は、一般に、何百万台という単位で生産される低価格の製品であり、世界中に供給されており、多くの場合、様々に異なる電源電圧を有する場所で使用される。変換器回路に対する湿気の影響を回避するために、多くの場合、バッテリ充電器は完全に絶縁された製品でもある。
【発明の開示】
【発明が解決しようとする課題】
【０００５】
しかし、世界中の地域によっては、電源電圧が不規則で一定ではないことが一般的であり、極端な条件の下では、そのような不規則な電源電圧は充電器の内部に熱及びガスを急速に発生させることがある。熱及びガスの発生はほぼ瞬間的であり、発生されたガスは充電器のハウジングから十分迅速に放出されない。多くの場合、充電器は携帯電話、ラップトップコンピュータ、ポケットコンピュータなどのポータブル装置と共に使用する目的で提供されるため、持ち運びに便利であるように、充電器も非常に小型であるのが好ましい。更に、充電器が小型になるほど、ハウジングの内部に規定されるスペースも狭くなり、その結果、狭く密閉された空間によって圧力の上昇は更に急速になる。重大な場合には、充電器内部で爆発の危険があり、その結果、充電機器に損傷が及ぶこともある。
【０００６】
従って、本発明の背後にある目的は、バッテリ充電器に関して、異常な状態において、ガスが充電器内部の圧力を上昇させ始めた場合であっても、充電器が爆発するのを防止するための方法を提供することである。
【課題を解決するための手段】
【０００７】
この目的は、バッテリ充電回路を収納するハウジングと、電源コンセントに接続可能なインタフェースと、充電電流出力インタフェースとを具備するバッテリ充電器であって、ハウジングの壁に開口部が形成され、ハウジング内部の圧力がハウジングの外部に対して圧力限界を超えた場合、開放してハウジングの内部からハウジングの外部へガスを排出するように機能する圧力放出弁が前記開口部に配置されるようなバッテリ充電器により達成される。
【０００８】
一実施形態においては、ハウジングの内側からガスが排出された後、充電器が閉鎖されるように、圧力放出弁は閉鎖状態になる。
【０００９】
一実施形態においては、弁は開口部に差込まれる弾性部材を具備し、弾性部材は、ハウジング壁の外面に当接し且つハウジング内部の圧力が圧力限界を超えた場合に押しつぶされるリップを有する。
【００１０】
一実施形態においては、リップの内面はハウジングの内部と連通接続状態にある。
【００１１】
一実施形態においては、弾性部材は、ハウジング壁の内面に当接する内側フランジを有する。
【００１２】
一実施形態においては、弾性部材の一部分には内側フランジがなく、それにより、ハウジングの内部からリップへの連通接続が可能になる。
【００１３】
一実施形態においては、弾性部材は、開口部の外側でハウジング壁に当接するような形状に形成された外側段差部分をリップの内部に具備し、前記開口部はほぼ円形であるが、開口部にガスを流通させるために、内側フランジの直径を越えて延出するハウジングの内部への切込みを有する。
【００１４】
一実施形態においては、切込みの外側のハウジング壁の外面に凹部が形成され、凹部は、外側フランジの内側に圧力チャンバを形成する。
【００１５】
一実施形態においては、リップは、ハウジング壁の外面に形成された凹部に当接する。
【００１６】
一実施形態においては、圧力放出弁は、バッテリ充電回路に接続されたケーブルに対してブッシング（bushing)としても機能する。
【００１７】
一実施形態においては、ケーブルは、ハウジング側ではない自由端部に配置されたＤＣ充電電流出力コネクタを有する。
【００１８】
一実施形態においては、ケーブルは、ハウジング側ではない自由端部に配置されたＡＣ充電電流入力コネクタを有する。
【００１９】
一実施形態においては、充電電流出力インタフェースは、携帯電話のバッテリ充電器入力ポートに接続可能であるような形状に形成されたコネクタを具備する。
【００２０】
一実施形態においては、ハウジングは、継目で結合された少なくとも２つのハウジング部分を具備し、開口部は前記継目を貫通する。
【発明を実施するための最良の形態】
【００２１】
以下の説明はバッテリ充電器の分野に関し、特に、携帯電話、コミュニケータ、電子オーガナイザ、スマートフォン、ＰＤＡ（パーソナルデジタルアシスタント）、ラップトップコンピュータなどのポータブル装置又はハンドヘルド装置のバッテリを充電するためのバッテリ充電器に関する。尚、本発明による充電器はポータブル電子装置と組合わせての使用に限定されない。更に、本明細書及び添付の請求の範囲において、含まれる特徴、要素又は過程を示すために使用される場合の用語「具備する」は、明示して挙げられている特徴、要素又は過程以外の特徴、要素又は過程の存在を除外するものと解釈されてはならないことはいうまでもない。
【００２２】
以下に、添付の図面を参照して実施形態を説明する。
【００２３】
設計の観点から言えば、バッテリ充電器は下記の部品を具備する。
【００２４】
−プラスチックケーシング又はハウジングに封入された電子回路、
−プラスチックケーシング又はハウジング、
−通常は壁コンセントに差込まれるべきＡＣピンを有するプラグである電源インタフェース、及び
−通常はコネクタに装着されたＤＣケーブルであり、バッテリ又はバッテリ搭載装置に充電器を接続するための出力インタフェース。
【００２５】
上記の従来の技術による特徴以外に、本発明による充電器は圧力放出装置（ＰＲＤ）という特徴を更に含む。ＰＲＤは、
−所定の制御のもとハウジングから所定の圧力で迅速にガスを放出し、
−充電器の内部に高く危険な圧力を発生させず、
−圧力放出後はＰＲＤが再び閉鎖するため、湿気から防護し、
−ＰＲＤが反応した場合であっても、内部電子回路と外部との接触は阻止される。
【００２６】
ＰＲＤを開放させて圧力を放出させた事象が起こった後であっても、充電器は閉じた状態のままであるのが好ましい。これは、高感度の電子装置への接触を防止し、ハウジングの内部に湿気が侵入するのを回避する有利な特徴である。
【００２７】
本発明の第１の実施形態は、図１〜図６に示される。第１の実施形態においては、ＰＲＤは、一例として、通常はゴム状の弾性部材から製造された弾性グリップパッドに組込まれる。図１にはバッテリ充電器１０が示される。充電器１０は、従来の技術に従ってＡＣ電圧をＤＣ電圧に変換する電子回路１１を具備する。電子回路１１は電源コンセントコネクタ１２に接続される。この特定の実施形態においては、電源コンセントコネクタは、電源コンセントソケットに接続するように考案された２本の互いに離間して平行に配置されたピン１２を具備する。ピン１２はスペーサ要素１３から延出する。しかし、各国において使用される電源コンセントインタフェースに他の構造もあることは周知であるため、本発明は図示される例に何ら限定されることはない。実際、電源コンセントコネクタは、プラグではなく、電源コンセントプラグに接続するためのソケットを具備してもよい。電子回路１１は、ＤＣケーブル１４を介して充電電流出力コネクタ１８に更に接続される。ケーシング又はハウジング１５は電子回路１１を収納し、ケーブルをハウジング１５に接続する状態に支持するためのブッシング（bushing)が設けられる。図１は、２つの圧力放出装置ＰＲＤ２０を更に示すが、１つのＰＲＤだけでも十分であり、あるいは３つ以上のＰＲＤが含まれてもよい。圧力放出装置は、ハウジングの内部に規定された空間又は空洞部に通じる開口部と、開口部に配置された弁とを具備する。
【００２８】
図２は、側面から見た充電器１０を示す。ハウジング１５が少なくとも２つのハウジング部分１５ａ及び１５ｂを具備することは図２から明らかである。ハウジング部分１５ａ及び１５ｂは、溶接、のり付け、スナップ留め、ねじ留め又は他の任意の固着方法により、継目１６で互いに固定される。本実施形態においては、ＰＲＤ２０はプラグ２１を具備する。プラグ２１は、弁として作用し、例えば、ゴム、シリコーン又は熱可塑性プラスチックなどの弾性材料から形成され、ハウジング１５に形成された開口部３０に位置する。図２から明らかであるように、製造中に装着しやすくするために、本体２１は継目１６に配置されるのが好ましい。これに代わる変形例の場合、開口部が継目を通ることなく形成され、その後、弾性部材本体が所定の場所に押込まれるように装着される。
【００２９】
一実施形態においては、弁は剛性又は弾性の本体を具備してもよい。本体は、開口部を規定するリムの中又は外側に規定された弁座に向かってばねを装荷される。しかし、以下に説明するように、本体自体が弁機能を果たす弾性部分を具備するのが好ましい。
【００３０】
図３は、図２に示されるＡ−Ａに沿った横断面図を概略的に示す。図３から明らかなように、開口部３０に本体２１が配置される。本実施形態においては、この向きにあるとき、本体２１は、ハウジング１５の外壁の表面に当接する外側フランジ又はリップ２２と、ハウジング１５の内壁の表面に当接する内側フランジ２４と、それら２つのフランジより狭く且つ２つのフランジを結合する中央部分２３とを具備する。
【００３１】
しかし、ガス排出により超過圧力を排除するために、ハウジング１５の内部から外部へのガス連通が成立していなければならない。この目的のために、内側フランジは、開口部３０の内周部に沿っていくつかの部分にのみ内側フランジが存在し、別の部分には内側フランジが存在しないような形状に形成される。このことは図４〜図６に概略的に示される。図４は、組立て前に２つのハウジング部分１５ａ及び１５ｂの間に存在する本体２１を示す。従って、開口部３０はまだ形成されておらず、ハウジング部分１５ａ及び１５ｂの縁部分３０ａ及び３０ｂに開口部の境界がそれぞれ形成される。図から明らかであるように、外側フランジ２２は開口部３０の形状にほぼ対応する（楕円形の）形状であるが、開口部３０を密封するために、開口部３０の周囲部分を越えて延出する。開口部３０のハウジング縁部と中央部分２３との間のガス連通を成立させるために、中央部分２３は開口部３０より小さい。しかし、内側フランジ２４は、長手方向側部において開口部３０の縁部３０ａ、３０ｂを越えて図中の左側及び右側へ延出するが、短いほうの端部、すなわち、図中の上端部及び下端部においては延出しないため、開口部３０には対応しない形状を有する。従って、それらの短いほうの端部において、ガスは外側フランジ２２の内面２５に向かって自在に流れ、内面を圧力にさらす。図５は、図４に示されるＢ‐Ｂに沿った横断面側面図である。外側フランジ２２がハウジング壁１５の外側に当接し、外側フランジの内面２５はハウジングの内部のガス圧力にさらされていることが図４から明らかである。図６は、一例として、本実施形態の変形バージョンを示す。この場合、本体２１を持ち上げるため又は本体２１を取外すために充電器に手を加えることを更に困難にするために、フランジ２２はハウジングの凹部１７に配置される。
【００３２】
図７〜図１０は、本発明の第２の実施形態を例示する。本実施形態においては、ＰＲＤは、出力コネクタ用のＤＣケーブル又は電源コネクタ用のＡＣケーブルなどの充電器のハウジングに結合されたケーブルの歪み解放ブッシング（bushing)に組込まれる。すなわち、歪み解放ブッシング（bushing)が該当するケーブルに装着された場合、大幅なコストを追加することなくＰＲＤ機能が内蔵されることになる。図示される例においては、圧力放出装置はＤＣケーブルに組込まれる。
【００３３】
図７及び図８は、バッテリ充電器のハウジング７０を示す。電源プラグは示されているが、電子回路は省略される。ハウジング７０は、２つのハウジング部分７０ａ及び７０ｂの間の継目７６に形成された開口部７１を有する。通常、ハウジング部分は超音波溶接によって組立てられるが、前述のように他の方法も可能である。差込みを容易にするために、圧力放出装置を含む特殊な歪み解放を伴うケーブルは、充電器ハウジングの上部と底部との間の分割平面に配置されるのが好ましい。
【００３４】
開口部７１は、以下に詳細に示される特殊な形状を有し、ハウジング７０の内部の充電回路とケーブルの先端部に配置された充電電流コネクタ（図示せず）との間にケーブルを通すためにも使用される。
【００３５】
図１０は、ハウジング壁７２に開口部７１を有するハウジング７０の横断面を示す。ケーブル８０は開口部７１に通される。ケーブル８０は、開口部にケーブルをクランプするためのブッシング（bushing)９０によって装着される。このブッシング（bushing)は特定の構造を有し、本発明の本実施形態に従って弁としても作用する。ケーブル８０はブッシング（bushing)９０の貫通孔９４と一体に形成されるか又は貫通孔９４の中に固着されるのが好ましい。１つの選択肢は、ケーブルを覆うように成形されたブッシング（bushing)を使用することである。図１０において、ハウジング壁７２の左側はハウジング７０の内側を表し、ハウジング壁７２の右側はハウジング７０の外側を表す。
【００３６】
図９には、図７と同様に正面から見た場合の開口部７１が示されるが、ブッシング（bushing)９０のいくつかの直径が破線により更に示される。図示される実施形態の場合、開口部７１はほぼ円形であり、直径ｈｄを有する。しかし、回転しないようにケーブルを固着するブッシング（bushing)の中央部分は、三角形、矩形又は他の多角形などの他の形状であるのが好ましい。この意味で、直径という言葉は、中心点又は中心軸から最も外側に位置する周囲部分を示すために使用される。
【００３７】
ハウジング７０の内部において、ブッシング（bushing)９０は、直径ｄｉを有する内側フランジ９１と当接する。ブッシング（bushing)９０は直径ｄを有する段差部分９２を開口部７１の外側に有する。図７〜図１０からわかるように、開口部７１は完全な円ではなく、切込み７３及び凹部７４を具備する。切込み７３はｄｉより大きい寸法Ｄｉを有する。従って、内側フランジ９１は開口部全体を覆うのではなく、切込み７３を抜けて凹部７４に至る空気逃がし経路が存在する。この空気逃がし経路は、壁７２の外側に圧力チャンバを形成する。圧力チャンバ７４は寸法Ｄまで延出する。この凹部７４は通常は０．０５〜１ｍｍ、好ましくは０．１〜０．５ｍｍ、例えば、０．２ｍｍと、十分に研削されていてもよいが、凹部の存在は機能を改善するのに寄与するという利点を提供する。凹部のこの内壁と外側リップ９３との間に圧力チャンバ７４が形成される。圧力チャンバ７４は、切込み７３を介して充電器本体内部の空間と恒常的に接続している。凹部の面並びに自在に押しつぶされるリップの初荷重及び材料の特性は、圧力放出弁機能の開放圧力を判定するために設計できる要素である。
【００３８】
圧力チャンバ７４はブッシング（bushing)９０の外側フランジ又はリップ９３により閉鎖される。外側フランジ９３は、ハウジング１の外面にある別の段差部分７５の内側に収容されるのが好ましい。外側フランジ９３の直径は、圧力チャンバの寸法Ｄより大きいＬＤである。ブッシング（bushing)９０は上述の弾性材料のうち任意の材料から製造されるのが好ましい。圧力チャンバ７４内部の圧力が限界を超えると、外側フランジは押しつぶされて、圧力チャンバ７４からハウジングの外側へガスを排出する。このように、リップ９３を含むブッシング（bushing)９０は、切込み７３、圧力チャンバ７４及び自在に押しつぶされるリップ９３を経る空気逃がし経路を介して、ハウジング７０から圧力を放出する。実現される弁機能は、ブッシング（bushing)９０の形状及び弾性によって閉鎖位置になる。同じことが図１〜図６の実施形態にも当てはまり、図１〜図６の実施形態の場合には、弁の一方向機能を保証するのは本体２１の形状及び弾性である。
【００３９】
バッテリ充電器の最も一般的な実施形態は、変換器回路及び電源プラグを保持するハウジングを採用する形態であるが、ＤＣコネクタは、ハウジング内部の電子回路に接続されるケーブルの先端部に装着される。これが図１〜図１０の実施形態において提示される構造である。しかし、図１１〜図１４を参照して説明されるような他の実施形態も可能である。一例として、電源プラグは、ハウジングに装着されるＡＣケーブルの先端部に接続されてもよい。同様に、ＤＣコネクタはハウジングに直接装着されてもよい。従って、本発明による充電器はケーブルを含まなくてもよく、１本のＡＣケーブル、１本のＤＣケーブル又は１本のＡＣケーブル及び１本のＤＣケーブルの双方を具備してもよい。更に、国別又は地域別に専用の充電器を構成するために、異なる形状の電源プラグが存在する。
【００４０】
図１１は、前述の図面に対応する構造を示す。充電器ハウジング１１２は充電変換器回路と、電源コンセント１１１に接続するためにハウジング１１２に装着される電源プラグ１１３とを含む。ハウジング１１２は、バッテリ又はバッテリ搭載装置１１７のソケット１１６に接続するためのＤＣコネクタ１１５を先端部に保持するＤＣ出力ケーブル１１４を更に具備する。
【００４１】
図１２は、第１の代替構造を示す。この場合、充電変換器回路を含む充電器ハウジング１１２は、電源コンセント１１１に接続するための電源プラグ１１３にＡＣケーブル１１８を介して接続される。ハウジング１１２はＤＣコネクタ１１５を具備し、バッテリ又は装置１１７をそのソケット１１６によって固着するための何らかの形態のソケットを更に具備するのが好ましい。
【００４２】
図１３は、第２の代替構造を示す。充電変換器回路を含む充電器ハウジング１１２は、電源コンセント１１１に接続するための電源プラグ１１３にＡＣケーブル１１８を介して接続され、バッテリ又はバッテリ搭載装置１１７のソケット１１６に接続するためのＤＣコネクタ１１５を先端部に保持するＤＣ出力ケーブル１１４に接続される。
【００４３】
図１４は、第３の代替構造を示す。この場合、電源コンセント１１１に接続するための電源プラグ１１３及びバッテリ又は装置１１７のソケット１１６に接続するためのＤＣコネクタ１１５の双方がハウジング１１２に直接装着される。
【００４４】
前述のように、バッテリ搭載装置１１７は、例えば、携帯電話、コミュニケータ、電子オーガナイザ、ＰＤＡ又はラップトップコンピュータであってもよい。更に別の例としては、カメラ、ＤＶＤ又はｍｐ３プレーヤなどのメディアプレーヤ、電子玩具などがある。
【００４５】
実施形態の例を参照することにより本発明を説明したが、添付の請求の範囲の範囲内の変形も可能であることが理解される。いくつかの要素をある程度詳細に説明したが、これらの要素を実際に実現することは本発明には殆ど又は全く重要ではない。例えば、電源プラグは充電ケーブルからある角度で延出するように配置される必要はなく、ケーブルの反対方向に延出してもよい。２つのハウジング部分の間に設けられる継目は、あるとしても、例えば、図７の長手方向平面を通って設けられてもよく、あるいは不規則な形状を有してもよい。更に、バッテリ又はバッテリ搭載装置を装着するためのコネクタが存在すれば、ケーブルを全く有さない充電器も可能である。尚、図７〜図１０に関連して説明されたケーブルブッシング（bushing)と弁本体とを組合わせる特徴は、図１〜図６を参照して説明された実施形態についても同様に実現可能であろう。
【図面の簡単な説明】
【００４６】
【図１】図１は、下から見た第１の実施形態によるバッテリ充電器を概略的に示す図である。
【図２】図２は、側面から見た図１の充電器を示す図である。
【図３】図３は、第１の実施形態による圧力放出装置を示す充電器の一部の横方向横断面図である。
【図４】図４は、図３の圧力放出装置の拡大部分切取り図である。
【図５】図５は、第１の実施形態の２つの別の方法による圧力放出装置を示す長手方向横断面図である。
【図６】図６は、第１の実施形態の２つの別の方法による圧力放出装置を示す長手方向横断面図である。
【図７】図７は、本発明の第２の実施形態に従って考案された充電器のハウジングを示す異なる図である。
【図８】図８は、本発明の第２の実施形態に従って考案された充電器のハウジングを示す異なる図である。
【図９】図９は、第２の実施形態に従って圧力放出装置を提供するために、ハウジングに形成された開口部と協働するようにケーブル支持部材が考案された方法を概略的に示す図である。
【図１０】図１０は、第２の実施形態に従って圧力放出装置を提供するために、ハウジングに形成された開口部と協働するようにケーブル支持部材が考案された方法を概略的に示す図である。
【図１１】図１１は、ＤＣケーブルを有する充電器の一実施形態を示す図である。
【図１２】図１２は、ＡＣケーブルを有する充電器の一実施形態を示す図である。
【図１３】図１３は、ＤＣケーブル及びＡＣケーブルの双方を有する充電器の一実施形態を示す図である。
【図１４】図１４は、ケーブルを有さない充電器の一実施形態を示す図である。
【図１】
2008543259.tif 000003
【図２】
2008543259.tif 000004
【図３】
2008543259.tif 000005
【図４】
2008543259.tif 000006
【図５】
2008543259.tif 000007
【図６】
2008543259.tif 000008
【図７】
2008543259.tif 000009
【図８】
2008543259.tif 000010
【図９】
2008543259.tif 000011
【図１０】
2008543259.tif 000012
【図１１】
2008543259.tif 000013
【図１２】
2008543259.tif 000014
【図１３】
2008543259.tif 000015
【図１４】
2008543259.tif 000016
【国際調査報告】
2008543259.tif 000017
2008543259.tif 000018